(57)【要約】【課題】貯湯缶体を成形断熱材で囲むという製造工程においてバラツキが生じたとしても、貯湯缶体と、貯湯缶体を収納する筐体とが接触することのない給湯装置を提供すること。【解決手段】本発明の給湯装置１００は、温水を貯湯する略円筒形状の貯湯缶体１０２と、貯湯缶体１０２の周囲を覆うように配設した発泡断熱材３００と、貯湯缶体１０２と発泡断熱材３００を収納する略方形状の筐体２００とを備え、発泡断熱材３００の一部に傾斜状なる平面部（３１１、３１２、３２１、３２３）を設けたことを特徴とする。【選択図】図２
2007333256.tif 000002
【特許請求の範囲】
【請求項１】
温水を貯湯する略円筒形状の貯湯缶体と、前記貯湯缶体の周囲を覆うように配設した発砲断熱材と、前記貯湯缶体と前記発砲断熱材を収納する略方形状の筐体とを備え、前記発砲断熱材の一部に傾斜状なる平面部を設けたことを特徴とする給湯装置。
【請求項２】
略方形状の筐体の側部を形成する平面部と対向する位置に、傾斜状なる平面部を設けたことを特徴とする請求項１に記載の給湯装置。
【請求項３】
発砲断熱材は、前面側を構成する前面側断熱材と、後面側を構成する後面側断熱材と、天面側を構成する天面側断熱材と、下面側を構成する下面側断熱材とで構成され、前記前面側断熱材と前記後面側断熱材と前記天面側断熱材と前記下面側断熱材とが接合される接合部に、傾斜状なる平面部が形成されることを特徴とする請求項１または２に記載の給湯装置。
【請求項４】
前面側断熱材と後面側断熱材に形成される傾斜状なる平面部が一連となって構成されることを特徴とする請求項３に記載の給湯装置。
【請求項５】
貯湯缶体は脚部を有し、前面側断熱材および／または後面側断熱材に前記脚部を位置決めする位置決め部を設けることを特徴とする請求項２〜４のいずれか１項に記載の給湯装置。
【請求項６】
前面側断熱材および／または後面側断熱材上の傾斜状なる平面部を避けて押し出しピンを設けたことを特徴とする請求項２〜５のいずれか１項に記載の給湯装置。
【発明の詳細な説明】
【技術分野】
【０００１】
本発明は、貯湯缶体の放熱量を軽減する断熱材を有する給湯装置に関するものである。
【背景技術】
【０００２】
従来、この種の給湯装置は、図９のように複数の成型断熱材で貯湯缶体の外郭を囲むことにより、貯湯缶体に蓄えられる湯水の保温を図っていた。そしてこの構成によれば、貯湯缶体に断熱材としてガラスウールを巻きつける場合と比較して、製造組立時の工数が大幅に削減され、作業性が向上していた。（例えば、特許文献１参照）。
【０００３】
また、日本の狭小な住宅事情を考慮すると、今後は給湯装置全体の小型化が求められてくるが、それに伴って貯湯缶体の容量自体も減少するようになる。そして、貯湯缶体の容量が減少すると、貯湯缶体内に出湯すべき湯水が枯渇してしまうという湯切れ問題が生じやすくなるので、蓄えられる湯水の放熱による温度低下の影響は深刻となり、貯湯缶体の湯水の保温性は重要な課題である。
【特許文献１】特開平８−３２７５１７号公報
【発明の開示】
【発明が解決しようとする課題】
【０００４】
しかしながら、上記従来の技術では、成形断熱材で貯湯缶体の外郭を囲む場合には、放熱量を最小限にするために、貯湯缶体の周囲に、均等の厚さになるように成形断熱材を配設しているが、略円筒形状の貯湯缶体を成形断熱材で覆う場合には、成形断熱材も略円筒形状に合わせて均等の厚さになるように、貯湯缶体の外郭を囲まなければならず、貯湯缶体を収納する筐体が略方形状の場合、筐体と、貯湯缶体の外郭を囲んでいる成形断熱材が接触してしまう場合がある。また、成形断熱材で貯湯缶体の外郭を囲むという製造工程においてバラツキが生じ、バラツキの度合いによっては、筐体と、貯湯缶体が接触しやすくなる場合もあり、貯湯缶体と筐体とが接触することにより、筐体外部に放熱してしまい、保温性能が低下するという課題を有していた。
【０００５】
本発明は、前記従来の課題を解決するもので、貯湯缶体を成形断熱材で囲むという製造工程においてバラツキが生じたとしても、貯湯缶体と、貯湯缶体を収納する筐体とが接触することのない給湯装置を提供することを目的とする。
【課題を解決するための手段】
【０００６】
前記従来の課題を解決するために、本発明の給湯装置は、温水を貯湯する略円筒形状の貯湯缶体と、前記貯湯缶体の周囲を覆うように配設した発泡断熱材と、前記貯湯缶体と前記発泡断熱材を収納する略方形状の筐体とを備え、前記発泡断熱材の一部に傾斜状なる平面部を設けたことを特徴とするものである。
【０００７】
これによって、貯湯缶体の周囲を覆うように配設した発泡断熱材と、貯湯缶体を収納する筐体とが接触しやすい箇所に傾斜状なる平面部を設けているので、筐体と発泡断熱材の間に空間を確実に形成することができるので、放熱量を最小限に抑えつつ、筐体と貯湯缶体との接触を防止することができる。
【発明の効果】
【０００８】
貯湯缶体を成形断熱材で囲むという製造工程においてバラツキが生じたとしても、貯湯缶体と、貯湯缶体を収納する筐体とが接触することのない給湯装置を提供することができる。
【発明を実施するための最良の形態】
【０００９】
第１の発明の給湯装置は、温水を貯湯する略円筒形状の貯湯缶体と、前記貯湯缶体の周囲を覆うように配設した発泡断熱材と、前記貯湯缶体と前記発泡断熱材を収納する略方形状の筐体とを備え、前記発泡断熱材の一部に傾斜状なる平面部を設けたことにより、貯湯缶体を収納する筐体と発泡断熱材との間に確実に空間を形成することができるので、形成される空間によって断熱効果が向上し、放熱量を最小限に抑えつつ、筐体と貯湯缶体との接触を防止することができる。
【００１０】
第２の発明の給湯装置は、特に第１の発明において、略方形状の筐体の側部を形成する平面部と対向する位置に、傾斜状なる平面部を設けたことにより、筐体と発泡断熱材が接触しやすい箇所に傾斜状なる平面部を設けたので、より確実に筐体と発泡断熱材の接触を避け、空間を形成することができ、形成される空間によって断熱効果が向上し、放熱量を最小限に抑えつつ、筐体と貯湯缶体との接触を防止することができる。
【００１１】
第３の発明の給湯装置は、特に第１または第２の発明において、発泡断熱材は、前面側を構成する前面側断熱材と、後面側を構成する後面側断熱材と、天面側を構成する天面側断熱材と、下面側を構成する下面側断熱材とで構成され、前記前面側断熱材と前記後面側断熱材と前記天面側断熱材と前記下面側断熱材とが接合される接合部に、傾斜状なる平面部が形成されることにより、発泡断熱材は成形加工で形成されるため、貯湯缶体と筐体との間に空間を設けるのが容易に形成することができる。
【００１２】
第４の発明の給湯装置は、特に第３の発明において、前面側断熱材と後面側断熱材に形成される傾斜状なる平面部が一連となって構成されることで、前面側断熱材および後面側断熱材との傾斜状なる平面部が合致しているので、筐体と発泡断熱材が接触しにくくなり、より確実に空間を設けることができる。
【００１３】
第５の発明の給湯装置は、特に第２〜４の発明において、貯湯缶体は脚部を有し、前面側断熱材および／または後面側断熱材に前記脚部を位置決めする位置決め部を設けることにより、貯湯缶体と発泡断熱材とを確実に固定することができ、位置決め部が組立の基準となるので、高さや回転方向の位置決めとなり、複数部品で形成された発泡断熱材が結合する結合部での形状が一致しやすくなるので、筐体と発泡断熱材がさらに接触しにくくなり、より確実に空間を設けることができる。
【００１４】
第６の発明の給湯装置は、特に第２〜５の発明において、前面側断熱材および／または後面側断熱材に、傾斜状なる平面部を避けて押し出しピンを設けたことにより、組立のバラツキにより、回転方向にズレが生じても、押し出しピンが筐体に干渉することがない。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における給湯装置の構成図であり、図２は、本実施の形態における給湯装置の要部分解図である。図１、図２において、給湯装置１００は、筐体２００の内部に、湯水を貯湯する貯湯缶体１０２と、貯湯缶体１０２を覆う発泡断熱材３００と、貯湯缶体１０２内に水を供給する給水管２０１と、貯湯缶体１０２内に蓄えられている湯水を出湯する出湯管２０２がある。また、筐体２００の内部には、熱交換器２０３が配設されており、浴槽内の湯水もしくは床暖房用温水として循環する湯水と、貯湯缶体１０２内に蓄えられている湯水とを熱交換するものである。
【００１７】
また、貯湯缶体１０２内の湯水を加熱する加熱源として、本実施の形態では、ヒートポンプサイクルを熱源とするヒートポンプユニット１０１を用いているが、これに限定することは無く、例えば電気ヒータで貯湯タンク内の低温水を加熱するような形態の給湯装置であってもよい。
【００１８】
また、貯湯缶体１０２を覆う発泡断熱材３００は、貯湯缶体１０２の前部を覆う前面側断熱材３１０と、後部を覆う後面側断熱材３２０と、天井部を覆う天面側断熱材３３０と、底部を覆う下面側断熱材３４０とで構成され、それぞれの断熱材は発泡断熱材で構成される。
【００１９】
図３は、筐体２００の天板を外した状態の上平面図である。図３において、貯湯缶体１０２を前面側断熱材３１０、後面側断熱材３２０、天面側断熱材３３０、下面側断熱材３４０で覆い、筐体２００内に収納している。一般的に、略円筒形状の貯湯缶体１０２を略方形状の筐体２００に収納した場合、発泡断熱材で覆われた貯湯缶体１０２と略方形状の筐体２００は、略方形状の筐体２００の筐体前部２１０、筐体後部２２０、筐体右部２３０、筐体左部２４０のそれぞれ平面を形成する場所で干渉しやすい。そのため、筐体２００を形成する平面部に対向する箇所に傾斜状なる平面部を設けることで、筐体２００と貯湯缶体１０２の間に空間を形成することで干渉を防止している。本実施の形態では、筐体右部２３０および筐体左部２４０に対向し、かつ前面側断熱材３１０と後面側断熱材３２０とが接合する箇所に、前面側断熱材３１０および後面側断熱材３２０それぞれに傾斜状なる平面部３１１、３２１を、それぞれの断熱材の縦方向全長に渡り形成し、筐体前部２１０および筐体後部２２０に対向する位置にもそれぞれ傾斜状なる平面部３１２、３２３を形成している。
【００２０】
図４は、本実施の形態における給湯装置の前面側断熱材に設けた位置決め部の局部断面図、図５は、本実施の形態における給湯装置の前面側断熱材の内側正面図、図６は、筐体２００の底板を外した状態の下平面図、図７は、貯湯缶体を固定するシャーシ（筐体底部）の上面図、図８は、本実施の形態における給湯装置の局部断面図である。図４〜図８において、貯湯缶体１０２には、缶体脚金具１０３が位置決め冶具で溶接固定されており、缶体脚金具１０３に缶体脚柱１０４を差し込み、さらに缶体脚金具１０３にネジで固定している。貯湯缶体１０２は缶体脚取付板１０５を介して筐体底部２５０に取り付けられている。また、貯湯缶体１０２を前面側断熱材３１０で覆った際、缶体脚金具１０３と前面側断熱材３１０が当接する場所には、前面側断熱材３１０に位置決め部を設けている。本実施の形態においては、位置決め部として、缶体脚金具１０３の平面部と当接するように平坦部３１３を設けている。このような平坦部３１３を設けることで、缶体脚金具１０３と平坦部３１３が当接するため、貯湯缶体１０２と前面側断熱材３１０とが位置決めされるので、発泡断熱材３００（前面側断熱材３１０、後面側断熱材３２０、天面側断熱材３３０、下面側断熱材３４０）の回転方向のズレを防止することができる。
【００２１】
また、図８に示すように前面側断熱材３１０、後面側断熱材３２０、をそれぞれ組み立てた時に、右部２３０および左部２４０に対向する位置に形成した傾斜状なる平面部は、前面側断熱材３１０および後面側断熱材３２０のそれぞれに形成されるが、それらの組み合わせ部は一連となって構成されるのが望ましい。
【００２２】
以上のように、略方形状の筐体２００の平面部を形成する筐体前部２１０、筐体後部２２０、筐体右部２３０、筐体左部２４０と対向する位置における発泡断熱材３００（前面側断熱材３１０、後面側断熱材３２０、天面側断熱材３３０、下面側断熱材３４０）には、傾斜状なる平面を設けることで、前面側断熱材３１０、後面側断熱材３２０、天面側断熱材３３０、下面側断熱材３４０を組み立てた時に発生する回転方向のバラツキ、貯湯缶体１０２の傾きによるバラツキが生じたとしても、筐体２００と発泡断熱材３００との間
には空気層を形成することができる。また、傾斜角度をより大きく取れば、より確実に筐体２００と発泡断熱材３００との間に空気層を形成することはいうまでもない。
【００２３】
また、コンパクトな給湯装置を提供するためには、筐体２００の内部に寸法的な制約があり、グラスウールよりも断熱形状を形成しやすい発泡断熱材では、必ず成形金型に必要な押し出しピン跡３２２が形成される。そこで本実施の形態においては、図８に示すように傾斜状なる平面部を避けて押し出しピン跡３２２を設けている。そのため、発泡断熱材３００を組み立てた際に発生する回転方向のバラツキに対して、押し出しピン跡３２２と筐体２００が干渉することがなく、断熱効果を維持することができる。
【００２４】
以上のように、発泡断熱材と筐体との間に空間を形成することで断熱効果を向上することができ、傾斜状なる平面部を設けたことで、発泡断熱材を貯湯缶体に覆う製造工程で回転方向にバラツキが生じたとしても、筐体と発泡断熱材が干渉することがなく、確実に断熱効果を維持することができる。
【産業上の利用可能性】
【００２５】
以上のように、本発明は、ヒートポンプ給湯機だけに限らず、電気給湯器などにも適用することができる。
【図面の簡単な説明】
【００２６】
【図１】本発明の第１の実施の形態における給湯装置の構成図
【図２】同実施の形態における給湯装置の要部分解図
【図３】同実施の形態における天板を外した状態の上平面図
【図４】同実施の形態における位置決め部の局部断面図
【図５】同実施の形態における前面側断熱材の内側正面図
【図６】同実施の形態における底板を外した状態の下平面図
【図７】同実施の形態における底部上面図
【図８】同実施の形態における給湯装置の局部断面図
【図９】従来の電気給湯器の構成図
【符号の説明】
【００２７】
１００  給湯装置
１０１  ヒートポンプユニット
１０３  缶体脚金具
１０４  缶体脚柱
１０５  缶体脚取付板
２００  筐体
２０１  給水管
２０２  出湯管
２０３  熱交換器
２１０  筐体前部
２２０  筐体後部
２３０  筐体右部
２４０  筐体左部
２５０  筐体底部
３００  発泡断熱材
３１０  前面側断熱材
３１１、３１２  傾斜状なる平面部
３１３  平坦部
３２０  後面側断熱材
３２１、３２３  傾斜状なる平面部
３２２  押し出しピン跡
３３０  天面側断熱材
３４０  下面側断熱材
【図１】
2007333256.tif 000003
【図２】
2007333256.tif 000004
【図３】
2007333256.tif 000005
【図４】
2007333256.tif 000006
【図５】
2007333256.tif 000007
【図６】
2007333256.tif 000008
【図７】
2007333256.tif 000009
【図８】
2007333256.tif 000010
【図９】
2007333256.tif 000011